(57)【要約】【課題】設備コストを削減できる解凍機能付きの冷却貯蔵庫を提供する。【解決手段】解凍機能付き冷却貯蔵庫Ｒは、断熱箱体１８内に構成された貯蔵室２０を冷却装置２４により冷却して成るものであって、貯蔵室２０内を加熱するための解凍ヒータ４３と、この解凍ヒータ４３にて加熱された空気を貯蔵室２０内に循環するための解凍ファン４４とを備える。貯蔵室２０内の温度に基づいて冷却装置２４の運転を制御する制御装置を備え、この制御装置は、所定の切換操作入力に基づき、冷却装置２４を停止し、解凍ヒータ４３及び解凍ファン４４による解凍運転を開始する。【選択図】      図２
2004211989.tif 000002
【特許請求の範囲】
【請求項１】
断熱箱体内に構成された貯蔵室を冷却装置により冷却して成る冷却貯蔵庫において、
前記貯蔵室内を加熱するための解凍ヒータと、
該解凍ヒータにて加熱された空気を前記貯蔵室内に循環するための解凍ファンとを備えたことを特徴とする解凍機能付き冷却貯蔵庫。
【請求項２】
前記貯蔵室内の温度に基づいて前記冷却装置の運転を制御する制御装置を備え、
該制御装置は、所定の切換操作入力に基づき、前記冷却装置を停止し、前記解凍ヒータ及び解凍ファンによる解凍運転を開始することを特徴とする請求項１の解凍機能付き冷却貯蔵庫。
【請求項３】
冷凍物品と共に凍結されて前記貯蔵室内に収納される当該冷凍物品の模擬負荷と、該模擬負荷の中心温度を検出する解凍用温度センサとを備え、
前記制御装置は、前記解凍用温度センサの出力に基づき、前記模擬負荷の中心温度が所定の解凍終了温度まで上昇した場合、前記解凍運転を終了して前記冷却装置による冷蔵運転を開始することを特徴とする請求項２の解凍機能付き冷却貯蔵庫。
【請求項４】
前記制御装置は、前記切換操作入力があった時点から所定の最短時間が経過するまで解凍運転を継続すると共に、前記切換操作入力があった時点から所定の最長時間が経過した場合は、前記解凍用温度センサの出力に拘わらず前記解凍運転を終了し、前記冷却装置による冷蔵運転を開始することを特徴とする請求項３の解凍機能付き冷却貯蔵庫。
【請求項５】
前記制御装置は、前記最短時間の経過以前に前記模擬負荷の中心温度が前記解凍終了温度まで上昇した場合、所定の警報動作を実行することを特徴とする請求項４の解凍機能付き冷却貯蔵庫。
【請求項６】
前記制御装置は、前記最長時間の経過により前記解凍運転を終了した場合、所定の警報動作を実行することを特徴とする請求項４又は請求項５の解凍機能付き冷却貯蔵庫。
【請求項７】
前記制御装置は、前記冷却装置による冷蔵運転中に所定警報動作を実行すると共に、前記解凍運転中には当該警報動作を禁止することを特徴とする請求項２、請求項３、請求項４、請求項５又は請求項６の解凍機能付き冷却貯蔵庫。
【請求項８】
前記制御装置は表示装置を備え、前記解凍運転における警報と前記冷蔵運転における警報を前記表示装置にて切換表示することを特徴とする請求項７の解凍機能付き冷却貯蔵庫。
【発明の詳細な説明】
【０００１】
【発明の属する技術分野】
本発明は、冷凍食品などの冷凍物品を解凍する機能を備えた冷却貯蔵庫に関するものである。
【０００２】
【従来の技術】
従来よりコンビニエンスストアなどの店舗においては、食品を冷蔵する冷却貯蔵庫が設置されている。また、近年では冷凍された弁当などの冷凍物品を解凍して顧客に提供する店舗も見られるようになって来ている。
【０００３】
このような冷凍物品の解凍を行う場合、従来では解凍専用の解凍庫を設置しておき、この解凍庫内に冷凍物品を収納して解凍するものであった（特許文献１参照）。
【０００４】
【特許文献１】
特開平９−２２４６２６号公報
【０００５】
【発明が解決しようとする課題】
しかしながら、係る解凍専用の解凍庫は生産コストが高騰する。また、店舗としては通常の冷却貯蔵庫の他に解凍庫を設置しなければならないため、結果として設備コストが大きく高騰してしまう問題があった。
【０００６】
本発明は、係る従来の技術的課題を解決するために成されたものであり、係る設備コストを削減できる解凍機能付きの冷却貯蔵庫を提供するものである。
【０００７】
【課題を解決するための手段】
本発明の解凍機能付き冷却貯蔵庫は、断熱箱体内に構成された貯蔵室を冷却装置により冷却して成るものであって、貯蔵室内を加熱するための解凍ヒータと、この解凍ヒータにて加熱された空気を貯蔵室内に循環するための解凍ファンとを備えたことを特徴とする。
【０００８】
本発明によれば、断熱箱体内に構成された貯蔵室を冷却装置により冷却して成る冷却貯蔵庫であって、貯蔵室内を加熱するための解凍ヒータと、この解凍ヒータにて加熱された空気を貯蔵室内に循環するための解凍ファンとを備えているので、既存の冷却貯蔵庫を利用して解凍機能を付加し、冷凍物品の解凍にかかる設備コストを著しく削減することが可能となる。
【０００９】
請求項２の発明の解凍機能付き冷却貯蔵庫は、上記において貯蔵室内の温度に基づいて冷却装置の運転を制御する制御装置を備え、この制御装置は、所定の切換操作入力に基づき、冷却装置を停止し、解凍ヒータ及び解凍ファンによる解凍運転を開始することを特徴とする。
【００１０】
請求項２の発明によれば、上記に加えて貯蔵室内の温度に基づいて冷却装置の運転を制御する制御装置を備え、この制御装置は、所定の切換操作入力に基づき、冷却装置を停止し、解凍ヒータ及び解凍ファンによる解凍運転を開始するようにしたので、簡単な操作で冷却貯蔵庫の貯蔵室内での解凍運転を開始することができるようになり、使用性が著しく改善されるものである。
【００１１】
請求項３の発明の解凍機能付き冷却貯蔵庫は、上記において冷凍物品と共に凍結されて貯蔵室内に収納される当該冷凍物品の模擬負荷と、この模擬負荷の中心温度を検出する解凍用温度センサとを備え、制御装置は、解凍用温度センサの出力に基づき、模擬負荷の中心温度が所定の解凍終了温度まで上昇した場合、解凍運転を終了して冷却装置による冷蔵運転を開始することを特徴とする。
【００１２】
請求項３の発明によれば、上記に加えて冷凍物品と共に凍結されて貯蔵室内に収納される当該冷凍物品の模擬負荷と、この模擬負荷の中心温度を検出する解凍用温度センサとを備え、制御装置は、解凍用温度センサの出力に基づき、模擬負荷の中心温度が所定の解凍終了温度まで上昇した場合、解凍運転を終了して冷却装置による冷蔵運転を開始するようにしたので、冷凍物品の中心が解凍するのに近いタイミングで解凍運転を終了させ、その後冷蔵運転を開始することができるようになり、的確な冷凍物品の解凍を実現することができるようになるものである。
【００１３】
請求項４の発明の解凍機能付き冷却貯蔵庫は、上記において制御装置は、切換操作入力があった時点から所定の最短時間が経過するまで解凍運転を継続すると共に、切換操作入力があった時点から所定の最長時間が経過した場合は、解凍用温度センサの出力に拘わらず解凍運転を終了し、冷却装置による冷蔵運転を開始することを特徴とする。
【００１４】
請求項４の発明によれば、上記に加えて制御装置は、切換操作入力があった時点から所定の最短時間が経過するまで解凍運転を継続するようにしたので、例えば模擬負荷に解凍用温度センサをセットし忘れたなどの場合にも、所定の最短時間だけは解凍運転が実行されることになり、冷凍物品の解凍を少しでも進行させることができるようになる。
【００１５】
また、制御装置は、切換操作入力があった時点から所定の最長時間が経過した場合は、解凍用温度センサの出力に拘わらず解凍運転を終了し、冷却装置による冷蔵運転を開始するので、例えば解凍用温度センサが故障したなどの場合に、強制的に解凍運転を終了することができるようになるものである。
【００１６】
請求項５の発明の解凍機能付き冷却貯蔵庫は、上記において制御装置は、最短時間の経過以前に模擬負荷の中心温度が解凍終了温度まで上昇した場合、所定の警報動作を実行することを特徴とする。
【００１７】
請求項５の発明によれば、上記に加えて制御装置は、最短時間の経過以前に模擬負荷の中心温度が解凍終了温度まで上昇した場合、所定の警報動作を実行するので、使用者に解凍用温度センサのセットし忘れなどの異常の発生を報知して迅速に対処させることが可能となるものである。
【００１８】
請求項６の発明の解凍機能付き冷却貯蔵庫は、請求項４又は請求項５の発明において制御装置は、最長時間の経過により解凍運転を終了した場合、所定の警報動作を実行することを特徴とする。
【００１９】
請求項６の発明によれば、請求項４又は請求項５の発明に加えて制御装置は、最長時間の経過により解凍運転を終了した場合、所定の警報動作を実行するので、使用者に解凍用温度センサの故障などの異常の発生を報知して迅速に対処させることが可能となるものである。
【００２０】
請求項７の発明の解凍機能付き冷却貯蔵庫は、請求項２、請求項３、請求項４、請求項５又は請求項６の発明において制御装置は、冷却装置による冷蔵運転中に所定警報動作を実行すると共に、解凍運転中には当該警報動作を禁止することを特徴とする。
【００２１】
請求項７の発明によれば、請求項２、請求項３、請求項４、請求項５又は請求項６の発明に加えて制御装置は、冷却装置による冷蔵運転中に所定警報動作を実行すると共に、解凍運転中には当該警報動作を禁止するようにしたので、解凍運転中に冷却装置による冷蔵運転における警報が行われてしまう不都合を未然に回避することができるようになるものである。
【００２２】
請求項８の発明の解凍機能付き冷却貯蔵庫は、上記において制御装置は表示装置を備え、解凍運転における警報と冷蔵運転における警報を表示装置にて切換表示することを特徴とする。
【００２３】
請求項８の発明によれば、上記に加えて制御装置は表示装置を備え、解凍運転における警報と冷蔵運転における警報を表示装置にて切換表示するので、冷蔵運転中の異常と解凍運転中の異常を的確に使用者に警告することができるようになるものである。
【００２４】
【発明の実施の形態】
以下、図面に基づき本発明の一実施形態を詳述する。図１は本発明を適用した冷却貯蔵庫Ｒの斜視図、図２は冷却貯蔵庫Ｒの縦断側面図、図３は冷却貯蔵庫Ｒの平断面図を示している。冷却貯蔵庫Ｒは冷凍物品（冷凍した弁当等）の解凍機能を備えたものであり、例えばコンビニエンスストアなどの店舗に設置され、前面に開口する断熱箱体１８により構成されている。
【００２５】
この断熱箱体１８内に構成された貯蔵室２０内上部には、冷却装置２４の冷却器３５が取り付けられており、この冷却器３５及びその近傍に取り付けられる冷却ファン３６により、貯蔵室２０内は所定の冷蔵温度に冷却される。尚、図中において、冷却器３５及び冷却ファン３６の下方に取り付けられた３７は、冷却器３５が取り付けられる冷却室３８と貯蔵室２０内を区画するための仕切板である。この仕切板３７は後方が開口されている。これにより、冷却ファン３６より貯蔵室２０から冷却室３８に吸い込まれた冷気は、冷却器３５と熱交換された後、冷却室３８後方から吐出される。
【００２６】
更に、断熱箱体１８の天面には前面パネル２５及び両側面及び後面を構成するパネル２６によって機械室２７が画成されており、この機械室２７内には冷却装置２４を構成するコンプレッサ２８や凝縮器２９などが設置され、冷却器３５と共に冷却装置２４の周知の冷媒回路を構成している。尚、図２において、３０は凝縮器用送風機である。
【００２７】
一方、貯蔵室２０の前面開口２２には、横方向の中仕切２３によって中央部にて上下に仕切られている。そして、該中仕切２３によって仕切られた貯蔵室２０の上下の開口２２は二組の観音開き式の扉（断熱扉）第１の扉２、第２の扉３によって開閉自在に閉塞される。また、上下の開口２２の中央部にそれぞれ位置する貯蔵室２０の天面及び中仕切２３の下面には、案内部材１１がそれぞれ取り付けられている。
【００２８】
ここで、向かって右側に位置する第１の扉２の内面側には、保持部材７１が取り付けられる。この保持部材７１は上端及び下端が図示しないネジにより固定され、係る保持部材７１には、仕切体７０が取り付けられる。仕切体７０は、扉２の長手方向に延在していると共に、この延在している軸を中心として保持部材７１に回動自在に枢支されている。保持部材７１は、内方に向けて突出して形成されるものである。
【００２９】
仕切体７０の前面には鋼板製の前面板７２が取り付けられており、仕切体７０の上端にはそれぞれ前記案内部材１１を案内するための案内溝（案内部材１１が係合する）が形成されたキャップ７３が嵌合されている。係る構成で、扉２を開くと案内部材１１と前記案内溝との係合によって仕切体７０は案内され、前面板７２が他方の扉３方向に向くように時計回りに回動される。これによって、仕切体７０は他方の扉３を避けて前方に移動可能となり、両扉２、３は独立して開閉可能となる。尚、各扉２、３は、前面に取り付けられるハンドル５０、５０を手前に引くことにより開閉自在とされている。
【００３０】
一方、前記貯蔵室２０の背面中央部には、上下に渡って後棚支柱１２が設けられる。更に、貯蔵室２０の両側面には、前部及び後部に位置してそれぞれ上下に渡って棚支柱１３が設けられる。これら後棚支柱１２及び棚支柱１３には、それぞれ上下に渡って複数の係合孔１２Ａ及び１３Ａが穿設されており、これら後棚支柱１２及び棚支柱１３に、実施例では冷凍物品としての弁当Ｂを複数載置する棚１５が貯蔵室２０の上下に複数段架設される。また、これら後棚支柱１２及び棚支柱１３の下端は、最下段に位置する棚１５が取付可能とされる位置、例えば前記中仕切２３により区画される下方の貯蔵室２０の中央付近まで延在されている。
【００３１】
ここで、貯蔵室２０の背面には、後棚支柱１２の両側に位置して、間隔子４０が設けられる。該間隔子４０は、後棚支柱１２及び棚支柱１３の上端よりも上方から後棚支柱１２及び棚支柱１３の下端よりも下方に延在して形成される上下が開口する内部中空の硬質合成樹脂製の柱部材である。前記棚１５は、外周を形成する枠部材１５Ａと、この枠部材１５Ａに固定された前後に渡る複数の線条１５Ｂから構成されている。この棚１５の後辺中央部に位置する枠部材１５Ａ、即ち、貯蔵室２０に取り付けられた場合に、前記後棚支柱１２に当接する位置の枠部材１５Ａには、後方に突出する突出部１６が形成されている。
【００３２】
尚、図中において、１４は、棚１５を各支柱１２、１３に架設するための係合爪であり、該係合爪１４は、各支柱１２、１３に形成される係合孔１２Ａ及び１３Ａに係合する図示しない係合部と、上面に棚１５を載置し、係止させるための係止部により構成されるものである。
【００３３】
棚１５を貯蔵室２０内に架設する場合には、先ず、後棚支柱１２及び棚支柱１３の棚１５を架設する位置に係合爪１４を後棚支柱１２及び棚支柱１３の係合孔１２Ａ及び１３Ａに取り付ける。そして、棚１５の突出部１６を後棚支柱１２に取り付けられた係合爪１４の係止部に係合させた後、棚１５の側辺を構成する枠部材１５Ａを棚支柱１３に取り付けられた係合爪１４の係止部に係合させる。
【００３４】
これにより、棚１５後辺と貯蔵室２０の背面間に間隔を構成しながら棚１５を安定的に架設することができる。また、棚１５は、貯蔵室２０の側面に取り付けられた棚支柱１３の他に棚１５の後辺中央部を後棚支柱１２により支持するため、棚１５を安定して支持することができる。尚、５１は貯蔵室２０の底面に設けられた底敷である。
【００３５】
一方、貯蔵室２０の一方の側面（実施例では向かって左側面）には、ダクト板４１が取り付けられている。従って、向かって左側の棚支柱１３はこのダクト板４１に取り付けられている。ダクト板４１は内部中空であり、断熱箱体１８との間に上下に渡るダクト４２を構成する。このダクト４２は中仕切２３の高さの位置で上下に仕切られており、この仕切られた上下それぞれのダクト４２の領域内に解凍ヒータ（電気ヒータ）４３及び解凍ファン４４が配設されている。更に、上下に仕切られたダクト４２のそれぞれの領域の上下に対応する位置のダクト板４１には、それぞれ暖気吐出口４６と暖気吸込口４７が開口形成されている。
【００３６】
また、図２において４８は模擬負荷である。この模擬負荷４８は冷凍物品としての弁当Ｂと略同等の熱容量を有したものであり、使用する際には弁当Ｂと共に凍結し、貯蔵室２０内の上部に収納する。また、４９は解凍用温度センサとしての芯温センサであり、上記模擬負荷４８内に差し込んで使用される。更に、５５は庫内温度センサであり、冷却ファン３６の吸込側近傍の貯蔵室２０内に取り付けられている。
【００３７】
他方、図４は冷却貯蔵庫Ｒの制御装置５２の構成図を示している。制御装置５２は２枚のＩ／Ｏ基盤５３、５４（これらは同一構成の基板）と、コントロール基盤５６とから構成され、Ｉ／Ｏ基盤５４とコントロール基盤５６が通信線でＩ／Ｏ基盤５３に接続された構成とされている。図中５８は解凍リレーであり、この解凍リレー５８に前記解凍ヒータ４３、４３及び解凍ファン４４、４４を制御する図示しないＰＩＤ制御装置が接続される。また、６１は前記芯温センサ４９が接続されるソケットである。
【００３８】
Ｉ／Ｏ基盤５４において、６４は前記庫内温度センサ５５が接続されるソケットであり、６２は前記冷却ファン３６が接続されるソケットである。また、６３は図示しない除霜ヒータのソケットである。更に、５９はコンプレッサ２８の制御用のリレーである。５７は解凍開始スイッチであり、Ｉ／Ｏ基盤５３に接続されている。コントロール基盤５６には表示装置を構成するＬＥＤ表示器６６、６７が設けられており、ＬＥＤ表示器６６で庫内温度センサ５５が検出する冷蔵温度が、ＬＥＤ表示器６７で芯温センサ４９が検出する解凍温度がそれぞれ表示される。
【００３９】
尚、ＬＥＤ表示器６６で冷蔵温度を表示している間はＬＥＤ表示器６７は消灯され、ＬＥＤ表示器６７で解凍温度を表示している間はＬＥＤ表示器６６は消灯される。そして、これらはＩ／Ｏ基盤５３に設けられた汎用のマイクロコンピュータ６８（制御手段）により制御されるものである。
【００４０】
以上の構成で次に図５のタイミングチャートを参照しながら実施例の冷却貯蔵庫Ｒの動作を説明する。
【００４１】
（１）冷蔵運転
前記解凍開始スイッチ５７が操作されていない場合、マイクロコンピュータ６８は庫内温度センサ５５が検出する貯蔵室２０内の温度（庫内温度）に基づき、冷却装置２４のコンプレッサ２８の運転を制御する。この場合、冷蔵設定値（例えば＋６℃）＋２℃の上限温度でコンプレッサ２８を運転し、冷蔵設定値−２℃の下限温度でコンプレッサ２８を停止する。尚、冷却ファン３６はコンプレッサ２８の起動後所定期間運転され、その後所定期間停止される間欠運転が行われる。
【００４２】
コンプレッサ２８が運転されると冷却器３５が冷却作用を発揮する。冷却室３８にて冷却器３５と熱交換し、冷却された冷気は冷却ファン３６により仕切板３７の後方に形成された開口から貯蔵室２０に吐出される。冷却室３８から吐出された冷気は、一部は貯蔵室２０の背面に取り付けられた間隔子４０より構成される棚１５と貯蔵室２０背面との間を降下する。残りの冷気は、そのまま貯蔵室２０内に循環される。
【００４３】
これにより、貯蔵室２０内は冷蔵設定温度±２℃の範囲の冷蔵温度に維持される。この場合、貯蔵室２０内の温度はＬＥＤ表示器６６にて表示される（この場合、ＬＥＤ表示器６７は消灯）。尚、マイクロコンピュータ６８は庫内温度センサ５５の出力に基づき、庫内温度が異常低温（例えば冷蔵設定値−３℃以下が９０分継続した場合等）となった場合にはＬＥＤ表示器６６にて所定の低温警報表示を行う。これにより、例えば庫内温度センサ５５の故障などで貯蔵室２０内が異常に低温となった場合の警報を行う。また、マイクロコンピュータ６８は庫内温度センサ５５の出力に基づき、庫内温度が異常高温（例えば冷蔵設定値＋１０℃が１２０分継続した場合等）となった場合にはＬＥＤ表示器６６にて所定の高温警報表示を行う。これにより、例えばコンプレッサ２８の故障などで貯蔵室２０内が異常に高温となった場合の警報を行う。
【００４４】
（２）解凍運転
次に、例えばコンビニエンスストアに配送されて来る冷凍された弁当Ｂの解凍を行う場合には、これら弁当Ｂを棚１５上の貯蔵室２０内に積み重ねて収納する。また、弁当Ｂと同様に凍結された前記模擬負荷４８も用意し（例えばこれも弁当Ｂと共に配送されてくる）、この模擬負荷４８の内部中心に芯温センサ４９を差し込む。そして、模擬負荷４８は貯蔵室２０内の上部に収納する。
【００４５】
次に、使用者が解凍開始スイッチ５７を押すと、マイクロコンピュータ６８には解凍開始を指示する切換操作入力が入る。マイクロコンピュータ６８はこの切換操作入力に基づき、コンプレッサ２８、凝縮器用送風機３０、冷却ファン３６を停止して冷却装置２４の冷蔵運転を停止する。次に、解凍リレー５８をＯＮして解凍運転を開始する。
【００４６】
この解凍リレー５８はＯＮされると、前記ＰＩＤ制御装置が制御動作を開始する。この制御動作では庫内温度センサ５５の出力に基づき、所定のＰＩＤ設定値（庫内温度例えば＋２０℃）と庫内温度の偏差ｅにより、比例・積分・微分計算が行われ、この計算結果から得られる制御量により解凍ヒータ４３、４３に通電が成される。尚、解凍ファン４４、４４は連続運転である。
【００４７】
解凍ヒータ４３により加熱された空気は解凍ファン４４により暖気吐出口４６から貯蔵室２０内に吐出され、暖気吸込口４７から吸い込まれる循環を行う。これにより、貯蔵室２０内の温度は＋２０℃に正確に制御される。係る温度に貯蔵室２０内が維持されることによって弁当Ｂは徐々に解凍されていき、その芯温（中心温度）も徐々に上昇していく。同様に模擬負荷４８も解凍されていき、その芯温（中心温度）も上昇していく。この温度は芯温センサ４９により検出されており、マイクロコンピュータ６８はこの変化を把握している。
【００４８】
そして、マイクロコンピュータ６８は係る芯温センサ４９が検出する芯温をＬＥＤ表示器６７に表示する（ＬＥＤ表示器６６は消灯）。そして、芯温センサ４９が検出する芯温が例えば＋３℃などの解凍終了温度まで上昇すると、マイクロコンピュータ６８は解凍リレー５８はＯＦＦして解凍ヒータ４３、４３の発熱と解凍ファン４４、４４の運転を停止し、解凍運転を終了する。
【００４９】
模擬負荷４８の芯温は弁当Ｂの芯温とみなすことができるので、これにより、貯蔵室２０内に収納された弁当Ｂの中心が解凍するのに近いタイミングで解凍運転を終了させ、的確な解凍を実現することができるようになる。尚、解凍運転が終了した後は、マイクロコンピュータ６８は引き続き冷蔵運転を再開して貯蔵室２０内を冷蔵温度に維持し、解凍後の弁当Ｂを冷蔵する。
【００５０】
ここで、マイクロコンピュータ６８は係る解凍運転中、冷蔵運転において述べた貯蔵室２０内の低温警報並びに高温警報の発生は禁止する。これにより、無用な警報の発生が回避される。
【００５１】
また、マイクロコンピュータ６８は解凍開始スイッチ５７が押されてからの解凍運転の経過時間を積算しており、例えば２時間（最短時間）は芯温センサ４９の出力に拘わらず解凍運転を継続する。これにより、例えば模擬負荷４８に芯温センサ４９をセットし忘れたなどの場合にも、２時間は解凍運転が実行されることになり、弁当Ｂの解凍を少しでも進行させることができるようになる。
【００５２】
尚、マイクロコンピュータ６８は解凍運転の開始から２時間以内に芯温センサ４９が検出する温度が＋３℃まで上昇した場合、ＬＥＤ表示器６７にて警報表示を行う。これにより、使用者に芯温センサ４９のセットし忘れなどの異常の発生を報知して迅速に対処させることが可能となる。
【００５３】
また、マイクロコンピュータ６８は解凍運転が開始されてから例えば８時間（最長時間）が経過しているにも拘わらず、芯温センサ４９の検出する温度が＋３℃に達しない場合、当該芯温センサ４９の出力に拘わらず、８時間が経過した時点で解凍運転を強制終了する。これにより、例えば芯温センサ４９が故障したなどの場合に、強制的に解凍運転を終了することができるようになる。尚、この場合もマイクロコンピュータ６８はＬＥＤ表示器６７にて警報表示を行う。
【００５４】
尚、実施例では模擬負荷を設けてその芯温により解凍終了を行わせたが、それに限らず、請求項１及び請求項２の発明では、時間により解凍を終了させてもよい。その場合は、弁当の量で時間を調整する。また、その場合には解凍終了までの残り時間をＬＥＤ表示器にて表示してもよい。
【００５５】
【発明の効果】
以上詳述した如く本発明によれば、断熱箱体内に構成された貯蔵室を冷却装置により冷却して成る冷却貯蔵庫であって、貯蔵室内を加熱するための解凍ヒータと、この解凍ヒータにて加熱された空気を貯蔵室内に循環するための解凍ファンとを備えているので、既存の冷却貯蔵庫を利用して解凍機能を付加し、冷凍物品の解凍にかかる設備コストを著しく削減することが可能となる。
【００５６】
また、請求項２の発明によれば、上記に加えて貯蔵室内の温度に基づいて冷却装置の運転を制御する制御装置を備え、この制御装置は、所定の切換操作入力に基づき、冷却装置を停止し、解凍ヒータ及び解凍ファンによる解凍運転を開始するようにしたので、簡単な操作で冷却貯蔵庫の貯蔵室内での解凍運転を開始することができるようになり、使用性が著しく改善されるものである。
【００５７】
また、請求項３の発明によれば、上記に加えて冷凍物品と共に凍結されて貯蔵室内に収納される当該冷凍物品の模擬負荷と、この模擬負荷の中心温度を検出する解凍用温度センサとを備え、制御装置は、解凍用温度センサの出力に基づき、模擬負荷の中心温度が所定の解凍終了温度まで上昇した場合、解凍運転を終了して冷却装置による冷蔵運転を開始するようにしたので、冷凍物品の中心が解凍するのに近いタイミングで解凍運転を終了させ、その後冷蔵運転を開始することができるようになり、的確な冷凍物品の解凍を実現することができるようになるものである。
【００５８】
また、請求項４の発明によれば、上記に加えて制御装置は、切換操作入力があった時点から所定の最短時間が経過するまで解凍運転を継続するようにしたので、例えば模擬負荷に解凍用温度センサをセットし忘れたなどの場合にも、所定の最短時間だけは解凍運転が実行されることになり、冷凍物品の解凍を少しでも進行させることができるようになる。
【００５９】
また、制御装置は、切換操作入力があった時点から所定の最長時間が経過した場合は、解凍用温度センサの出力に拘わらず解凍運転を終了し、冷却装置による冷蔵運転を開始するので、例えば解凍用温度センサが故障したなどの場合に、強制的に解凍運転を終了することができるようになるものである。
【００６０】
また、請求項５の発明によれば、上記に加えて制御装置は、最短時間の経過以前に模擬負荷の中心温度が解凍終了温度まで上昇した場合、所定の警報動作を実行するので、使用者に解凍用温度センサのセットし忘れなどの異常の発生を報知して迅速に対処させることが可能となるものである。
【００６１】
また、請求項６の発明によれば、請求項４又は請求項５の発明に加えて制御装置は、最長時間の経過により解凍運転を終了した場合、所定の警報動作を実行するので、使用者に解凍用温度センサの故障などの異常の発生を報知して迅速に対処させることが可能となるものである。
【００６２】
また、請求項７の発明によれば、請求項２、請求項３、請求項４、請求項５又は請求項６の発明に加えて制御装置は、冷却装置による冷蔵運転中に所定警報動作を実行すると共に、解凍運転中には当該警報動作を禁止するようにしたので、解凍運転中に冷却装置による冷蔵運転における警報が行われてしまう不都合を未然に回避することができるようになるものである。
【００６３】
また、請求項８の発明によれば、上記に加えて制御装置は表示装置を備え、解凍運転における警報と冷蔵運転における警報を表示装置にて切換表示するので、冷蔵運転中の異常と解凍運転中の異常を的確に使用者に警告することができるようになるものである。
【図面の簡単な説明】
【図１】本発明の実施例の解凍機能付きの冷却貯蔵庫の斜視図である。
【図２】図１の冷却貯蔵庫の縦断側面図である。
【図３】図１の冷却貯蔵庫の横断平面図である。
【図４】図１の冷却貯蔵庫の制御装置の構成図である。
【図５】図４の制御装置による冷蔵運転と解凍運転の制御を説明するタイミングチャートである。
【符号の説明】
Ｒ  冷却貯蔵庫
１５  棚
１８  断熱箱体
２０  貯蔵室
２４  冷却装置
２８  コンプレッサ
３５  冷却器
３６  冷却ファン
４３  解凍ヒータ
４４  解凍ファン
４８  模擬負荷
４９  芯温センサ（解凍用温度センサ）
５２  制御装置
５７  解凍開始スイッチ
６６、６７  ＬＥＤ表示器
【図１】
2004211989.tif 000003
【図２】
2004211989.tif 000004
【図３】
2004211989.tif 000005
【図４】
2004211989.tif 000006
【図５】
2004211989.tif 000007